(57)【要約】      （修正有）【課題】電線支持金具を使用せずに電線を任意の位置に固定することができる電気機器収納箱を提供する。【解決手段】電気機器収納箱は電気機器を載置したパネル３を一端１ａが開口した直方体の箱体１の底面１ｂに内周壁１ｃと離間して設けた電気機器収納箱において、パネル３に断面略コ字状に折曲げた折曲側壁を形成し、折曲側壁に電線１１の結束バンド１２が挿通可能な複数個の挿通孔を設けて、結束バンド１２で結束して整線した電線１１を収容する。【選択図】図１
0003141276.tif 000002
【実用新案登録請求の範囲】
【請求項１】
電気機器を載置したパネルを一端が開口した直方体の箱体の底面に内周壁と離間して設けた電気機器収納箱において、前記パネルに断面略コ字状に折曲げた折曲側壁を形成し、前記折曲側壁に電線の結束バンドが挿通可能な複数個の挿通孔を設けたことを特徴とする電気機器収納箱。
【請求項２】
前記パネルの折曲側壁を箱体開口方向に伸びるとともに前記折曲側壁と本体の内周壁との間の空間部に電線の結束バンドで整線した電線を収容したことを特徴とする請求項1記載の電気機器収納箱。
【考案の詳細な説明】
【技術分野】
【０００１】
本考案は、電気機器を載置したパネルを用いて電気機器を収容する電気機器収納箱に関するものである。
【背景技術】
【０００２】
従来、電気機器を載置したパネルを用いて電気機器を収容する電気機器収納箱には箱体に電線を結束して整線する構造が種々提案されている。
【０００３】
例えば、特許文献１のように箱体本体の内側背面の少なくとも四隅に設けた取付金具に一または二のボルトを垂設し、そのボルトに対向する一または二の挿通孔を略中央部に形成すると共に、外側端縁部に螺着孔を形成した支持金具を設け、その螺着孔の周囲に複数個の結束孔を形成した分電盤の電線支持構造が提案されている。
【０００４】
【特許文献１】実開平７−４２９８４号公報
【考案の開示】
【考案が解決しようとする課題】
【０００５】
しかしながら、特許文献１による電線支持構造では、電気機器等に接続される電線を整線固定するための電線支持金具が必要であり、電気機器収納箱の構成部材が増えるという課題を有していた。
【０００６】
本考案は、上記問題点を解消し、電線支持金具を使用せずに電線を任意の位置に固定することができる電気機器収納箱を提供することを目的とする。
【課題を解決するための手段】
【０００７】
本考案は、電気機器を載置したパネルを一端が開口した直方体の箱体の底面に内周壁と離間して設けた電気機器収納箱において、前記パネルに断面略コ字状に折曲げた折曲側壁を形成し、前記折曲側壁に電線の結束バンドが挿通可能な複数個の挿通孔を設けたことを特徴とする。
【０００８】
さらに、前記パネルの折曲側壁を箱体開口方向に伸びるとともに前記折曲側壁と本体の内周壁との間の空間部に電線の結束バンドで整線した電線を収容したことを特徴とする。
【考案の効果】
【０００９】
本考案の電気機器収納箱は、電気機器を載置したパネルを一端が開口した直方体の箱体の底面に内周壁と離間して設けた電気機器収納箱において、前記パネルに断面略コ字状に折曲げた折曲側壁を形成し、前記折曲側壁に電線の結束バンドが挿通可能な複数個の挿通孔を設けたことで、電線支持金具を必要としない他、電気機器収納箱の構成部材も減らすことができる。
【００１０】
さらに、前記パネルの折曲側壁を箱体開口方向に伸びるとともに前記折曲側壁と本体の内周壁との間の空間部に電線の結束バンドで整線した電線を収容しているため、電線の整線固定を容易に行える。
【考案を実施するための最良の形態】
【００１１】
以下、本考案を実施するための最良の形態について、図面を参照しながら説明する。
【００１２】
図１から図３において、電気機器収納箱は、箱体１は直方体形状で一端１ａが全てもしくは部分的に開口している。箱体１の開口した一端１ａを外側から覆う外扉７を備えている。また、箱体１の内周壁１ｃと離間した空間部１ｄの底面１ｂには、下方に開口する断面略コ字状に形成された取付金具２が止着されている。取付金具２にブレーカ５等の電気機器を載置したパネル３が配設されているとともに、パネル３に複数の第１の支柱６Ａおよび第２の支柱６Ｂが固定されている。そして、これらの第１の支柱６Ａおよび第２の支柱６Ｂに、箱体１の開口した一端１ａ内に嵌り込んでブレーカ５等を覆う内扉４が支持されている。
【００１３】
箱体１および外扉７は金属製の薄板で構成されており、外扉７は、右側の端部がピン蝶番１７ａを介して箱体１に取付けられているとともに、左側の端部には外扉７を箱体１に止着する第１の止着手段１７ｂが設けられて、箱体１の開口した一端１ａを開閉可能となっている。第１の止着手段１７ｂは、例えば回転式のラッチ錠であり、外扉７の外側からハンドルを回すことにより外扉７の内側に設けられた係合片１７ｃが外扉７から突出して箱体１に係合するものである。
【００１４】
内扉４は、金属製の薄板で箱体１の開口した一端１ａ内に嵌り込む大きさに構成され、適所に切欠きが形成されてブレーカ５のハンドル部分等を外側に露出させるようになっており、右側の端部を第２の支柱６Ｂにリンク機構６４ａで揺動可能に支持され、左側の端部を第１の支柱６Ａに止着可能に支持されて、箱体１の開口した一端１ａを開閉可能となっている。内扉４の左側の端部には、内扉４を第１の支柱６Ａに止着する第２の止着手段６４ｂが設けられている。第１の支柱６Ａおよび第２の支柱６Ｂは、共にパネル３の上にネジ６３により係止されている。
【００１５】
パネル３は、取付金具２に跨って橋架可能な大きさを有し、断面略コ字状に折曲げた折曲側壁３ａが箱体１の一端１ａ方向に伸びるように形成されており、さらに、折曲側壁３ａには電線１１の結束バンド１２が挿通可能な複数個の挿通孔３ｂを適宜間隔に設けている。挿通孔３ｂは、箱体１内に配索される複数本の電線１１を整線する結束バンド１２が挿通できるよう左右方向に貫通している。
【００１６】
パネル３を箱体１に固定するために、取付金具２にボルト８が設けられており、このボルト８は、ネジ部分が上方を向いた状態で取付金具２によって頭部を押え込まれて箱体１の底面１ｂに固定されている。そして、取付金具２の上にパネル３を置いて、取付金具２から突出したボルト８にナット９を螺合することでパネル３を箱体１の底面１ｂに固定している。
【００１７】
このように、パネル３の折曲側壁３ａに電線１１の結束バンド１２を挿通可能な挿通孔３ｂを設け、折曲側壁３ａと本体１の内周壁１ｃとの間の空間部１ｄに電線１１の結束バンド１２で整線した電線１１を収容している。パネル３と箱体１の内周壁１ｃと離間した空間部１ｄに組み込まれたブレーカ５等の電気機器に接続される複数本の電線１１を配索する際に、これらの電線１１を整線する結束バンド１２をパネル３の折曲側壁３ａの挿通孔３ｂに通すことで電線１１を止着することができる。従って、専用の電線支持金具を設けることなく電線を止着することができる。また、パネル３の挿通孔３ｂを箱体１の開口した一端１ａ面に向かって突出する方向に止着したから、箱体１の開口した一端１ａから作業がし易くなるので、結束バンド１２を容易に挿通孔３ｂに挿入することができる。
【００１８】
なお、本考案の実施形態では、パネル３の折曲側壁３ａに設けた挿通孔３ｂは長孔となっているが、取付部としてはこれに限定されるものではなく、例えば真円や長孔以外の非真円についても同様である。また、パネル３に載置される電気機器は、ブレーカ５に限られず、その他の電気機器であってもかまわない。さらに、第１の支柱６Ａおよび第２の支柱６Ｂがパネル３に取付けられた形態を示したが、パネル３を切り欠いたりパネル３のない位置に第１の支柱６Ａおよび第２の支柱６Ｂを配置したりする等して、第１の支柱６Ａおよび第２の支柱６Ｂを直接箱体１に固定してもかまわない。また、取付金具２の形状および箱体１への取付構造の形状等も適宜変更可能である。
【図面の簡単な説明】
【００１９】
【図１】本考案の実施の形態における電気機器収納箱のパネルに結束バンドを取付けた状態を示す断面図である。
【図２】本考案の実施の形態における電気機器収納箱の外扉、内扉を取外した状態の平面図である。
【図３】本考案の実施の形態における電気機器を載置するパネルの斜視図である。
【符号の説明】
【００２０】
１    箱体
１ａ  一端
１ｂ  底面
１ｃ  内周壁
１ｄ  空間部
２    取付金具
３    パネル
３ａ  折曲側壁
３ｂ  挿通孔
４    内扉
５    ブレーカ
６Ａ  第１の支柱
６Ｂ  第２の支柱
７    外扉
８    ボルト
９    ナット
１１  電線
１２  結束バンド
１７ａ  ピン蝶番
１７ｂ  第１の止着手段
１７ｃ  係合片
６３    ネジ
６４ａ  リンク機構
６４ｂ  第２の止着手段
【図１】
0003141276.tif 000003
【図２】
0003141276.tif 000004
【図３】
0003141276.tif 000005